(57)【要約】      （修正有）【課題】半導体モジュールとコンデンサとを接続する第１極側導電体とコンデンサの第１極端子とを電気的に接続し、かつ、半導体モジュールとコンデンサとを接続する第２極側導電体とコンデンサの第２極端子とを電気的に接続する工程を簡易化する。【解決手段】電力変換装置１は、半導体モジュール２１と、コンデンサと、を接続する導電体組と、搭載部とを備える。導電体組は、第１極側導電体ＰＩと第２極側導電体ＮＩとを備える。コンデンサは、コンデンサ素子２３Ｃ１、２３Ｃ３と第１極端子２３Ｃ１Ｐ〜３Ｐと第２極端子２３Ｃ１Ｎ〜３Ｎとを備え第１極端子及び第２極端子の一部はコンデンサの外側に露出する。第１極側導電体及び第２極側導電体は、コンデンサと搭載部との間に配置され、コンデンサが搭載された状態では、第１極側導電体が第１極端子に向かい合って電気的に接続されかつ第２極側導電体が第２極端子に向かい合って電気的に接続される。【選択図】図９
2019180114.tif 000002
【特許請求の範囲】
【請求項１】
上アーム素子と下アーム素子とを有する半導体モジュールと、
コンデンサと、
前記コンデンサが搭載される搭載部と、
前記半導体モジュールと前記コンデンサとを接続する導電体組とを備え、
前記導電体組は、第１極側導電体と、前記第１極側導電体とは異なる極性を有する第２極側導電体とを備え、
前記コンデンサは、コンデンサ素子と、前記第１極側導電体と同一の極性を有する第１極端子と、前記第２極側導電体と同一の極性を有する第２極端子とを備え、
前記第１極端子および前記第２極端子の少なくとも一部は、前記コンデンサの外側に露出しており、
前記第１極側導電体および前記第２極側導電体は、前記コンデンサと前記搭載部との間に配置され、
前記コンデンサが前記搭載部に搭載された状態では、
前記第１極側導電体が前記第１極端子に向かい合い、かつ、前記第２極側導電体が前記第２極端子に向かい合う位置に配置され、
前記第１極側導電体が前記第１極端子に電気的に接続され、かつ、前記第２極側導電体が前記第２極端子に電気的に接続される、
電力変換装置。
【請求項２】
前記コンデンサと前記搭載部との間では、前記第１極側導電体が、前記第１極端子よりも前記搭載部の側に配置され、前記第２極側導電体が、前記第２極端子よりも前記搭載部の側に配置されている、
請求項１に記載の電力変換装置。
【請求項３】
前記第１極端子と前記第２極端子とは、所定距離離間して、互いに平行な状態で配置されており、
前記コンデンサと前記搭載部との間では、前記第１極側導電体と前記第２極側導電体とが、所定距離離間して、互いに平行な状態で配置されている、
請求項１または請求項２に記載の電力変換装置。
【請求項４】
前記第１極側導電体と前記第１極端子との接合部に、導電性の第１可縮部品が配置され、
前記第２極側導電体と前記第２極端子との接合部に、導電性の第２可縮部品が配置されている、
請求項１から請求項３のいずれか一項に記載の電力変換装置。
【請求項５】
前記第１極側導電体および前記第２極側導電体を前記コンデンサの側から見た場合に、
前記第１極側導電体の一部は、前記第２極側導電体によって覆われており、
前記第１極側導電体のうちの前記第２極側導電体によって覆われていない部分は、前記第１極端子に向かい合い、
前記第１極側導電体の一部を覆っている前記第２極側導電体は、前記第２極端子に向かい合っている、
請求項１から請求項４のいずれか一項に記載の電力変換装置。
【請求項６】
少なくとも第１コンデンサ素子と、前記第１コンデンサ素子に隣接して配置された第２コンデンサ素子と、第１極端子と、前記第１極端子とは異なる極性を有する第２極端子とを備え、
前記第１コンデンサ素子は、
第１本体部と、
前記第１本体部の一方の端部に配置され、かつ、前記第１極端子と同一の極性を有する板状の第１端子部と、
前記第１本体部の他方の端部に配置され、かつ、前記第２極端子と同一の極性を有し、かつ、前記第１端子部と平行な板状の第２端子部とを備え、
前記第２コンデンサ素子は、
第２本体部と、
前記第２本体部の一方の端部に配置され、かつ、前記第１極端子と同一の極性を有する板状の第３端子部と、
前記第２本体部の他方の端部に配置され、かつ、前記第２極端子と同一の極性を有し、かつ、前記第３端子部と平行な板状の第４端子部とを備え、
前記第１極端子は、前記第１端子部および前記第３端子部に直交して配置され、
前記第２極端子は、前記第２端子部および前記第４端子部に直交して配置され、かつ、前記第１極端子に隣接して配置され、
前記第２端子部と、前記第３端子部とは、隣接しかつ向かい合っており、
前記第２端子部は、前記第２極端子に電気的に接続される突出部を備え、
前記第３端子部は、前記第１極端子に電気的に接続される突出部を備え、
前記第２端子部の突出部の位置と、前記第３端子部の突出部の位置とが、ずらされている、
電力変換装置用コンデンサ。
【発明の詳細な説明】
【技術分野】
【０００１】
本発明は、電力変換装置および電力変換装置用コンデンサに関する。
【背景技術】
【０００２】
従来、半導体素子を配置する際に半導体素子を上下反転する工程を不要にする半導体装置が知られている（例えば、特許文献１参照）。特許文献１に記載された半導体装置では、第１半導体素子（上アーム素子）と第２半導体素子（下アーム素子）とが並列に配置されている。また、第１半導体素子の上面側の電極に電気的に接続された導電体の薄板部と、第２半導体素子の下面側の電極に電気的に接続された導電体の薄板部とを固着することによって、第１半導体素子の上面側の電極と、第２半導体素子の下面側の電極とが、電気的に接続されている。
【先行技術文献】
【特許文献】
【０００３】
【特許文献１】特開２０１２−２３５０８１号公報
【発明の概要】
【発明が解決しようとする課題】
【０００４】
ところで、特許文献１には、第１半導体素子の下面側の電極に電気的に接続された正極側導電体と、第２半導体素子の上面側の電極に電気的に接続された負極側導電体とに、コンデンサの正極端子と負極端子とを電気的に接続する工程について記載されていない。
そのため、特許文献１に記載された半導体装置では、コンデンサの正極端子と負極端子とを半導体モジュールの正極側導電体と負極側導電体とに電気的に接続する工程が煩雑になってしまうおそれがある。
【０００５】
上述した問題点に鑑み、本発明は、半導体モジュールの第１極側導電体とコンデンサの第１極端子とを電気的に接続し、かつ、半導体モジュールの第２極側導電体とコンデンサの第２極端子とを電気的に接続する工程を簡易化することができる電力変換装置および電力変換装置用コンデンサを提供することを目的とする。
【課題を解決するための手段】
【０００６】
（１）本発明の一態様に係る電力変換装置は、上アーム素子と下アーム素子とを有する半導体モジュールと、コンデンサと、前記コンデンサが搭載される搭載部と、前記半導体モジュールと前記コンデンサとを接続する導電体組とを備え、前記導電体組は、第１極側導電体と、前記第１極側導電体とは異なる極性を有する第２極側導電体とを備え、前記コンデンサは、コンデンサ素子と、前記第1極側導電体と同一の極性を有する第１極端子と、前記第２極側導電体と同一の極性を有する第２極端子とを備え、前記第１極端子および前記第２極端子の少なくとも一部は、前記コンデンサの外側に露出しており、前記第１極側導電体および前記第２極側導電体は、前記コンデンサと前記搭載部との間に配置され、前記コンデンサが前記搭載部に搭載された状態では、前記第１極側導電体が前記第１極端子に向かい合い、かつ、前記第２極側導電体が前記第２極端子に向かい合う位置に配置され、前記第１極側導電体が前記第１極端子に電気的に接続され、かつ、前記第２極側導電体が前記第２極端子に電気的に接続される。
【０００７】
（２）上記（１）に記載の電力変換装置では、前記コンデンサと前記搭載部との間では、前記第１極側導電体が、前記第１極端子よりも前記搭載部の側に配置され、前記第２極側導電体が、前記第２極端子よりも前記搭載部の側に配置されていてもよい。
【０００８】
（３）上記（１）または（２）に記載の電力変換装置では、前記第１極端子と前記第２極端子とは、所定距離離間して、互いに平行な状態で配置されており、前記コンデンサと前記搭載部との間では、前記第１極側導電体と前記第２極側導電体とが、所定距離離間して、互いに平行な状態で配置されていてもよい。
【０００９】
（４）上記（１）から（３）のいずれかに記載の電力変換装置では、前記第１極側導電体と前記第１極端子との接合部に、導電性の第１可縮部品が配置され、前記第２極側導電体と前記第２極端子との接合部に、導電性の第２可縮部品が配置されていてもよい。
【００１０】
（５）上記（１）から（４）のいずれかに記載の電力変換装置では、前記第１極側導電体および前記第２極側導電体を前記コンデンサの側から見た場合に、前記第１極側導電体の一部は、前記第２極側導電体によって覆われており、前記第１極側導電体のうちの前記第２極側導電体によって覆われていない部分は、前記第１極端子に向かい合い、前記第１極側導電体の一部を覆っている前記第２極側導電体は、前記第２極端子に向かい合っていてもよい。
【００１１】
（６）本発明の一態様に係る電力変換装置用コンデンサは、少なくとも第１コンデンサ素子と、前記第１コンデンサ素子に隣接して配置された第２コンデンサ素子と、第１極端子と、前記第１極端子とは異なる極性を有する第２極端子とを備え、前記第１コンデンサ素子は、第１本体部と、前記第１本体部の一方の端部に配置され、かつ、前記第１極端子と同一の極性を有する板状の第１端子部と、前記第１本体部の他方の端部に配置され、かつ、前記第２極端子と同一の極性を有し、かつ、前記第１端子部と平行な板状の第２端子部とを備え、前記第２コンデンサ素子は、第２本体部と、前記第２本体部の一方の端部に配置され、かつ、前記第１極端子と同一の極性を有する板状の第３端子部と、前記第２本体部の他方の端部に配置され、かつ、前記第２極端子と同一の極性を有し、かつ、前記第３端子部と平行な板状の第４端子部とを備え、前記第１極端子は、前記第１端子部および前記第３端子部に直交して配置され、前記第２極端子は、前記第２端子部および前記第４端子部に直交して配置され、かつ、前記第１極端子に隣接して配置され、前記第２端子部と、前記第３端子部とは、隣接しかつ向かい合っており、前記第２端子部は、前記第２極端子に電気的に接続される突出部を備え、前記第３端子部は、前記第１極端子に電気的に接続される突出部を備え、前記第２端子部の突出部の位置と、前記第３端子部の突出部の位置とが、ずらされている。
【発明の効果】
【００１２】
上記（１）に記載の電力変換装置では、コンデンサが搭載部に搭載されると、半導体モジュールとコンデンサとを接続する第１極側導電体が、コンデンサの第１極端子に向かい合い、かつ、半導体モジュールとコンデンサとを接続する第２極側導電体が、コンデンサの第２極端子に向かい合い、第１極側導電体がコンデンサの第１極端子に電気的に接続され、かつ、第２極側導電体がコンデンサの第２極端子に電気的に接続される。
そのため、上記（１）に記載の電力変換装置では、コンデンサが搭載部に搭載されることによって、半導体モジュールの第１極側導電体とコンデンサの第１極端子とを電気的に接続し、かつ、半導体モジュールの第２極側導電体とコンデンサの第２極端子とを電気的に接続することができる。
つまり、上記（１）に記載の電力変換装置では、半導体モジュールの第１極側導電体とコンデンサの第１極端子との電気的な接続、および、半導体モジュールの第２極側導電体とコンデンサの第２極端子との電気的な接続を容易にすることができる。
【００１３】
上記（２）に記載の電力変換装置では、コンデンサと搭載部との間において、第１極側導電体が、第１極端子よりも搭載部の側に配置され、第２極側導電体が、第２極端子よりも搭載部の側に配置されていてもよい。
そのように構成される場合には、コンデンサと搭載部との間で、第１極側導電体とコンデンサの第１極端子とを電気的に接続し、第２極側導電体とコンデンサの第２極端子とを電気的に接続することができる。
【００１４】
上記（３）に記載の電力変換装置では、コンデンサが搭載部に搭載された状態では、第１極端子と第２極端子とが所定距離離間して、互いに平行な状態で配置されており、第１極側導電体と第２極側導電体とが、所定距離離間して、互いに平行な状態で配置されていてもよい。
そのように構成される場合には、第１極端子と第２極端子とが所定距離離間して互いに平行な状態で配置されず、第１極側導電体と第２極側導電体とが所定距離離間して互いに平行な状態で配置されない場合よりも、電力変換回路における浮遊インダクタンスの増加を抑制することができる。
【００１５】
上記（４）に記載の電力変換装置では、第１極側導電体と第１極端子との接合部に導電性の第１可縮部品が配置され、第２極側導電体と第２極端子との接合部に導電性の第２可縮部品が配置されていてもよい。
そのように構成される場合には、第１極側導電体または第１極端子の高さのばらつきを第１可縮部品によって吸収しつつ、第１可縮部品によって第１極側導電体と第１極端子とを電気的に接続することができる。また、第２極側導電体または第２極端子の高さのばらつきを第２可縮部品によって吸収しつつ、第２可縮部品によって第２極側導電体と第２極端子とを電気的に接続することができる。
【００１６】
上記（５）に記載の電力変換装置では、第１極側導電体および第２極側導電体をコンデンサの側から見た場合に、第１極側導電体の一部が、第２極側導電体によって覆われていてもよい。
そのように構成される場合には、第１極側導電体と第２極側導電体とが互いに重ならない位置に配置される場合よりも、電力変換装置を小型化することができる。
【００１７】
上記（６）に記載の電力変換装置用コンデンサでは、第２端子部と、第３端子部とが、隣接しかつ向かい合っており、第２極端子に電気的に接続される第２端子部の突出部の位置と、第１極端子に電気的に接続される第３端子部の突出部の位置とが、ずらされている。
そのため、上記（６）に記載の電力変換装置用コンデンサでは、第２端子部と第３端子部とを隣接させて配置しつつ、第２端子部の突出部と、第３端子部の突出部との間の絶縁距離を確保することができる。
【図面の簡単な説明】
【００１８】
【図１】第１実施形態の電力変換装置の概略構成の一例を示す図である。
【図２】第１実施形態の電力変換装置の一例の斜視図である。
【図３】図２（Ａ）中のパワーモジュールの拡大図である。
【図４】図２（Ｂ）中のＢ−Ｂ線に沿った電力変換装置の鉛直断面図である。
【図５】図４中の正極側導電体と正極端子との接合部、および、負極側導電体と負極端子との接合部の構成を概略的に説明するための図である。
【図６】図１〜図５に示す電力変換装置に用いられるコンデンサユニットの内部を説明するための図である。
【図７】負極端子部および正極端子部の斜視図である。
【図８】図６に示すコンデンサユニットの斜視図である。
【図９】図６に示すコンデンサユニットなどの分解斜視図である。
【図１０】図６に示すコンデンサユニットなどの組立手順を説明するための図である。
【図１１】第１から第３実施形態の電力変換装置を適用可能な車両の一部の一例を示す図である。
【発明を実施するための形態】
【００１９】
以下、本発明の電力変換装置および電力変換装置用コンデンサの実施形態について添付図面を参照しながら説明する。
【００２０】
＜第１実施形態＞
図１は第１実施形態の電力変換装置１の概略構成の一例を示す図である。詳細には、図１（Ａ）はコンデンサユニット２３が搭載部ＭＰに組み付けられる前の状態の電力変換装置１の正面図である。図１（Ｂ）はコンデンサユニット２３が搭載部ＭＰに組み付けられた後の状態の電力変換装置１の正面図である。図１（Ｃ）は図１（Ｂ）中のＡ−Ａ線に沿った電力変換装置１の概略的な鉛直断面図である。
図２は第１実施形態の電力変換装置１の一例の斜視図である。詳細には、図２は左前側かつ上側から見た電力変換装置１の斜視図である。図２（Ａ）は図１（Ａ）に示す状態に対応する電力変換装置１の斜視図である。図２（Ｂ）は図１（Ｂ）に示す状態に対応する電力変換装置１の斜視図である。
図３は図２（Ａ）中のパワーモジュール２１の拡大図である。図４は図２（Ｂ）中のＢ−Ｂ線に沿った電力変換装置１の鉛直断面図である。図５は図４中の正極側導電体ＰＩと正極端子５０ｐとの接合部、および、負極側導電体ＮＩと負極端子５０ｎとの接合部の構成を概略的に説明するための図である。
【００２１】
図１〜図５に示す例では、電力変換装置１が、パワーモジュール（半導体モジュール）２１と、コンデンサユニット２３と、搭載部ＭＰと、正極側導電体ＰＩと、負極側導電体ＮＩとを備えている。
パワーモジュール（半導体モジュール）２１は、上アーム素子ＵＨ、ＶＨ、ＷＨ、Ｓ１（図１１参照）と、下アーム素子ＵＬ、ＶＬ、ＷＬ、Ｓ２（図１１参照）とを有する。上アーム素子ＵＨ、ＶＨ、ＷＨ、Ｓ１および下アーム素子ＵＬ、ＶＬ、ＷＬ、Ｓ２は、例えばＩＧＢＴ（Insulated Gate Bipolar Transistor）、ＭＯＳＦＥＴ（Metal Oxide Semi-conductor Field Effect Transistor）等のようなスイッチング素子である。上アーム素子ＵＨ、ＶＨ、ＷＨ、Ｓ１および下アーム素子ＵＬ、ＶＬ、ＷＬ、Ｓ２は、基板ＳＡ（図４参照）に搭載されている。上アーム素子ＵＨ、ＶＨ、ＷＨ、Ｓ１の下面電極（図示せず）は、正極側導電体ＰＩに電気的に接続されている。下アーム素子ＵＬ、ＶＬ、ＷＬ、Ｓ２の上面電極（図示せず）は、負極側導電体ＮＩに電気的に接続されている。上アーム素子ＵＨ、ＶＨ、ＷＨの上面電極（図示せず）および下アーム素子ＵＬ、ＶＬ、ＷＬの下面電極（図示せず）は、出力側導電体５１、５２（図３および図４参照）に電気的に接続されている。上アーム素子ＵＨ、ＶＨ、ＷＨ、Ｓ１および下アーム素子ＵＬ、ＶＬ、ＷＬ、Ｓ２のゲート電極（図示せず）には、ゲート信号線ＧＳ（図３および図４参照）が接続されている。
【００２２】
図２〜図４に示す例では、パワーモジュール２１が、第１電力変換回路部３１と、第２電力変換回路部３２と、第３電力変換回路部３３とを備えている。
第１電力変換回路部３１は、例えばバッテリ１１（図１１参照）から第３電力変換回路部３３を介して入力される直流電力を３相交流電力に変換し、例えば第１モータ１２（図１１参照）に供給する。第１電力変換回路部３１は、上アーム素子ＵＨを有するＵ相の上アーム部分Ｈｉ（図３参照）と、下アーム素子ＵＬを有するＵ相の下アーム部分Ｌｏ（図３参照）と、上アーム素子ＶＨを有するＶ相の上アーム部分Ｈｉと、下アーム素子ＶＬを有するＶ相の下アーム部分Ｌｏと、上アーム素子ＷＨを有するＷ相の上アーム部分Ｈｉと、下アーム素子ＷＬを有するＷ相の下アーム部分Ｌｏとを備えている。
第２電力変換回路部３２は、例えば第２モータ１３（図１１参照）から入力される３相交流電力を直流電力に変換する。第２電力変換回路部３２によって変換された直流電力は、バッテリ１１および第１電力変換回路部３１の少なくとも一方に供給可能である。第２電力変換回路部３２は、上アーム素子ＵＨを有するＵ相の上アーム部分Ｈｉと、下アーム素子ＵＬを有するＵ相の下アーム部分Ｌｏと、上アーム素子ＶＨを有するＶ相の上アーム部分Ｈｉと、下アーム素子ＶＬを有するＶ相の下アーム部分Ｌｏと、上アーム素子ＷＨを有するＷ相の上アーム部分Ｈｉと、下アーム素子ＷＬを有するＷ相の下アーム部分Ｌｏとを備えている。
第３電力変換回路部３３は、電圧コントロールユニット（ＶＣＵ）である。第３電力変換回路部３３は、上アーム素子Ｓ１を有する上アーム部分Ｈｉと、下アーム素子Ｓ２を有する下アーム部分Ｌｏとを備えている。
【００２３】
図１〜図４に示す例では、パワーモジュール２１が、モジュールケースＣＳと、放熱部ＷＪとを備えている。
第１電力変換回路部３１の上アーム素子ＵＨ、ＶＨ、ＷＨおよび下アーム素子ＵＬ、ＶＬ、ＷＬが搭載された基板ＳＡは、モジュールケースＣＳに収容されている。基板ＳＡは、放熱部ＷＪ（図１および図４参照）に接続されている。
基板ＳＡには、第２電力変換回路部３２の上アーム素子ＵＨ、ＶＨ、ＷＨおよび下アーム素子ＵＬ、ＶＬ、ＷＬが搭載されている。また、基板ＳＡには、第３電力変換回路部３３の上アーム素子Ｓ１および下アーム素子Ｓ２が搭載されている。
【００２４】
図２および図３に示す例では、モジュールケースＣＳが、例えばボルト（図示せず）によって搭載部ＭＰ（図１（Ａ）および図１（Ｂ）参照）の搭載位置ＭＰ１（図１（Ａ）および図１（Ｂ）参照）に搭載（固定）されている。
他の例では、モジュールケースＣＳが、例えばカシメ等のようなに任意の公知の手法よって搭載部ＭＰの搭載位置ＭＰ１に搭載（固定）されてもよい。
【００２５】
図２（Ａ）および図４に示す例では、コンデンサユニット２３が、コンデンサ素子２３Ｃ１、２３Ｃ２、２３Ｃ３（コンデンサ素子２３Ｃ２、２３Ｃ３は図６等参照）と、コンデンサ素子２３Ｃ１、２３Ｃ２、２３Ｃ３を収容するコンデンサケース（上ケース）２３Ａおよびコンデンサケース（下ケース）２３Ｂと、コンデンサケース２３Ａ、２３Ｂ内に注入されたポッティング材２３Ｄと、フランジ部２３Ｅとを備えている。コンデンサケース２３Ｂは、電気絶縁層（図５参照）によって相互に電気絶縁された正極端子５０ｐと負極端子５０ｎとによって構成されている。
【００２６】
図４および図５に示す例では、コンデンサユニット２３の正極端子５０ｐの一部（接続部５０ｐ１）が、コンデンサユニット２３の外側に露出している。つまり、コンデンサユニット２３の正極端子５０ｐの接続部５０ｐ１は、図４および図５の下側からアクセス可能に露出している。
同様に、コンデンサユニット２３の負極端子５０ｎの一部（接続部５０ｎ１）が、コンデンサユニット２３の外側に露出している。つまり、コンデンサユニット２３の負極端子５０ｎの接続部５０ｎ１は、図４および図５の下側からアクセス可能に露出している。
【００２７】
図１〜図５に示す例では、コンデンサユニット２３が、例えばボルトＢＴ（図１参照）によって搭載部ＭＰ（図１（Ａ）および図１（Ｂ）参照）の搭載位置ＭＰ２（図１（Ａ）および図１（Ｂ）参照）に搭載（固定）されている。
他の例では、コンデンサユニット２３が、例えばカシメ等のようなに任意の公知の手法よって搭載部ＭＰの搭載位置ＭＰ２に搭載（固定）されてもよい。
【００２８】
図２（Ａ）および図４に示す例では、第２電力変換回路部３２の上アーム素子ＵＨ、ＶＨ、ＷＨ（図１１参照）の下面電極に電気的に接続された正極側導電体ＰＩが、コンデンサユニット２３の下側の位置（詳細には、コンデンサユニット２３の正極端子５０ｐの接続部５０ｐ１に向かい合う位置）まで延ばされている。第２電力変換回路部３２の下アーム素子ＵＬ、ＶＬ、ＷＬ（図１１参照）の上面電極に電気的に接続された負極側導電体ＮＩは、正極側導電体ＰＩに対する電気絶縁が行われた状態で、コンデンサユニット２３の下側の位置（詳細には、コンデンサユニット２３の負極端子５０ｎの接続部５０ｎ１に向かい合う位置）まで延ばされている。第２電力変換回路部３２に接続された正極側導電体ＰＩおよび負極側導電体ＮＩは、パワーモジュール２１の第２電力変換回路部３２とコンデンサユニット２３とを接続する導電体組を構成する。
同様に、図２（Ａ）に示す例では、第１電力変換回路部３１の上アーム素子ＵＨ、ＶＨ、ＷＨ（図１１参照）の下面電極に電気的に接続された正極側導電体ＰＩが、コンデンサユニット２３の下側の位置（詳細には、コンデンサユニット２３の正極端子５０ｐの接続部５０ｐ１に向かい合う位置）まで延ばされている。第１電力変換回路部３１の下アーム素子ＵＬ、ＶＬ、ＷＬ（図１１参照）の上面電極に電気的に接続された負極側導電体ＮＩは、正極側導電体ＰＩに対する電気絶縁が行われた状態で、コンデンサユニット２３の下側の位置（詳細には、コンデンサユニット２３の負極端子５０ｎの接続部５０ｎ１に向かい合う位置）まで延ばされている。第１電力変換回路部３１に接続された正極側導電体ＰＩおよび負極側導電体ＮＩは、パワーモジュール２１の第１電力変換回路部３１とコンデンサユニット２３とを接続する導電体組を構成する。
また、図２（Ａ）に示す例では、第３電力変換回路部３３の上アーム素子Ｓ１（図１１参照）の下面電極に電気的に接続された正極側導電体ＰＩが、コンデンサユニット２３の下側の位置（詳細には、コンデンサユニット２３の正極端子５０ｐの接続部５０ｐ１に向かい合う位置）まで延ばされている。第３電力変換回路部３３の下アーム素子Ｓ２（図１１参照）の上面電極に電気的に接続された負極側導電体ＮＩは、正極側導電体ＰＩに対する電気絶縁が行われた状態で、コンデンサユニット２３の下側の位置（詳細には、コンデンサユニット２３の負極端子５０ｎの接続部５０ｎ１に向かい合う位置）まで延ばされている。第３電力変換回路部３３に接続された正極側導電体ＰＩおよび負極側導電体ＮＩは、パワーモジュール２１の第３電力変換回路部３３とコンデンサユニット２３とを接続する導電体組を構成する。
【００２９】
図１〜図５に示す例では、第２電力変換回路部３２に接続された正極側導電体ＰＩおよび負極側導電体ＮＩのコンデンサユニット２３の側（図１（Ａ）、図１（Ｂ）、図４および図５の右側）の端部が、コンデンサユニット２３と搭載部ＭＰ（図１（Ａ）および図１（Ｂ）参照）との間に配置される。
次いで、図１（Ａ）および図１（Ｂ）に示すように、コンデンサユニット２３が搭載部ＭＰに搭載される。
コンデンサユニット２３が搭載部ＭＰに搭載された状態では、図４および図５に示すように、第２電力変換回路部３２に接続された正極側導電体ＰＩの端部が、コンデンサユニット２３の正極端子５０ｐの接続部５０ｐ１に向かい合う。第２電力変換回路部３２に接続された負極側導電体ＮＩの端部は、コンデンサユニット２３の負極端子５０ｎの接続部５０ｎ１に向かい合う。
詳細には、図１〜図５に示す例では、コンデンサユニット２３が搭載部ＭＰに搭載されることによって、第２電力変換回路部３２に接続された正極側導電体ＰＩが、コンデンサユニット２３の正極端子５０ｐに電気的に接続され、かつ、第２電力変換回路部３２に接続された負極側導電体ＮＩが、コンデンサユニット２３の負極端子５０ｎに電気的に接続される。
【００３０】
図１〜図５に示す例では、第２電力変換回路部３２に接続された正極側導電体ＰＩとコンデンサユニット２３の正極端子５０ｐとの電気的な接続を実現するために、例えばコイルスプリング等のような導電性の可縮部品ＳＰ１が用いられる。詳細には、図２（Ａ）および図３に示すように、コンデンサユニット２３が搭載部ＭＰに搭載される前の段階で、可縮部品ＳＰ１が、第２電力変換回路部３２に接続された正極側導電体ＰＩの端部（接合部）の上に配置される。
また、図１〜図５に示す例では、第２電力変換回路部３２に接続された負極側導電体ＮＩとコンデンサユニット２３の負極端子５０ｎとの電気的な接続を実現するために、例えばコイルスプリング等のような導電性の可縮部品ＳＰ２が用いられる。詳細には、図２（Ａ）および図３に示すように、コンデンサユニット２３が搭載部ＭＰに搭載される前の段階で、可縮部品ＳＰ２が、第２電力変換回路部３２に接続された負極側導電体ＮＩの端部（接合部）の上に配置される。
【００３１】
また、図１〜図５に示す例では、コンデンサユニット２３が搭載部ＭＰに搭載される前の段階で、第１電力変換回路部３１に接続された正極側導電体ＰＩおよび負極側導電体ＮＩのコンデンサユニット２３の側（図２（Ａ）の右上側）の端部が、コンデンサユニット２３と搭載部ＭＰ（図１（Ａ）および図１（Ｂ）参照）との間に配置される。また、図３に示すように、可縮部品ＳＰ１が、第１電力変換回路部３１に接続された正極側導電体ＰＩの端部（接合部）の上に配置され、可縮部品ＳＰ２が、第１電力変換回路部３１に接続された負極側導電体ＮＩの端部（接合部）の上に配置される。
次いで、コンデンサユニット２３が搭載部ＭＰに搭載された状態では、第１電力変換回路部３１に接続された正極側導電体ＰＩの端部が、コンデンサユニット２３の正極端子５０ｐの接続部５０ｐ１に向かい合い、第１電力変換回路部３１に接続された負極側導電体ＮＩの端部は、コンデンサユニット２３の負極端子５０ｎの接続部５０ｎ１に向かい合う。
詳細には、コンデンサユニット２３が搭載部ＭＰに搭載されることによって、第１電力変換回路部３１に接続された正極側導電体ＰＩが、可縮部品ＳＰ１を介してコンデンサユニット２３の正極端子５０ｐに電気的に接続され、第１電力変換回路部３１に接続された負極側導電体ＮＩが、可縮部品ＳＰ２を介してコンデンサユニット２３の負極端子５０ｎに電気的に接続される。
【００３２】
同様に、図１〜図５に示す例では、コンデンサユニット２３が搭載部ＭＰに搭載される前の段階で、第３電力変換回路部３３に接続された正極側導電体ＰＩおよび負極側導電体ＮＩのコンデンサユニット２３の側（図２（Ａ）の右上側）の端部が、コンデンサユニット２３と搭載部ＭＰ（図１（Ａ）および図１（Ｂ）参照）との間に配置される。また、図３に示すように、可縮部品ＳＰ１が、第３電力変換回路部３３に接続された正極側導電体ＰＩの端部（接合部）の上に配置され、可縮部品ＳＰ２が、第３電力変換回路部３３に接続された負極側導電体ＮＩの端部（接合部）の上に配置される。
次いで、コンデンサユニット２３が搭載部ＭＰに搭載された状態では、第３電力変換回路部３３に接続された正極側導電体ＰＩの端部が、コンデンサユニット２３の正極端子５０ｐの接続部５０ｐ１に向かい合い、第３電力変換回路部３３に接続された負極側導電体ＮＩの端部は、コンデンサユニット２３の負極端子５０ｎの接続部５０ｎ１に向かい合う。
詳細には、コンデンサユニット２３が搭載部ＭＰに搭載されることによって、第３電力変換回路部３３に接続された正極側導電体ＰＩが、可縮部品ＳＰ１を介してコンデンサユニット２３の正極端子５０ｐに電気的に接続され、第３電力変換回路部３３に接続された負極側導電体ＮＩが、可縮部品ＳＰ２を介してコンデンサユニット２３の負極端子５０ｎに電気的に接続される。
【００３３】
上述したように第１実施形態の電力変換装置１では、コンデンサユニット２３が搭載部ＭＰに搭載されると、パワーモジュール２１に接続された正極側導電体ＰＩが、コンデンサユニット２３の正極端子５０ｐに向かい合い、かつ、パワーモジュール２１に接続された負極側導電体ＮＩが、コンデンサユニット２３の負極端子５０ｎに向かい合い、正極側導電体ＰＩがコンデンサユニット２３の正極端子５０ｐに電気的に接続され、かつ、負極側導電体ＮＩがコンデンサユニット２３の負極端子５０ｎに電気的に接続される。
そのため、第１実施形態の電力変換装置１では、コンデンサユニット２３が搭載部ＭＰに搭載されることによって、パワーモジュール２１に接続された正極側導電体ＰＩとコンデンサユニット２３の正極端子５０ｐとを電気的に接続し、かつ、パワーモジュール２１に接続された負極側導電体ＮＩとコンデンサユニット２３の負極端子５０ｎとを電気的に接続することができる。
つまり、第１実施形態の電力変換装置１では、パワーモジュール２１に接続された正極側導電体ＰＩとコンデンサユニット２３の正極端子５０ｐとの電気的な接続、および、パワーモジュール２１に接続された負極側導電体ＮＩとコンデンサユニット２３の負極端子５０ｎとの電気的な接続を容易にすることができる。
【００３４】
図４および図５に示すように、コンデンサユニット２３と搭載部ＭＰ（図１（Ａ）および図１（Ｂ）参照）との間では、第２電力変換回路部３２に接続された正極側導電体ＰＩが、コンデンサユニット２３の正極端子５０ｐよりも搭載部ＭＰの側（図４および図５の下側）に配置され、第２電力変換回路部３２に接続された負極側導電体ＮＩが、コンデンサユニット２３の負極端子５０ｎよりも搭載部ＭＰの側（図４および図５の下側）に配置されている。
同様に、図１〜図５に示す例では、コンデンサユニット２３と搭載部ＭＰとの間において、第１電力変換回路部３１に接続された正極側導電体ＰＩが、コンデンサユニット２３の正極端子５０ｐよりも搭載部ＭＰの側（図２（Ａ）の下側）に配置され、第１電力変換回路部３１に接続された負極側導電体ＮＩが、コンデンサユニット２３の負極端子５０ｎよりも搭載部ＭＰの側（図２（Ａ）の下側）に配置されている。
また、図１〜図５に示す例では、コンデンサユニット２３と搭載部ＭＰとの間において、第３電力変換回路部３３に接続された正極側導電体ＰＩが、コンデンサユニット２３の正極端子５０ｐよりも搭載部ＭＰの側（図２（Ａ）の下側）に配置され、第３電力変換回路部３３に接続された負極側導電体ＮＩが、コンデンサユニット２３の負極端子５０ｎよりも搭載部ＭＰの側（図２（Ａ）の下側）に配置されている。
そのため、図１〜図５に示す例では、コンデンサユニット２３と搭載部ＭＰとの間において（つまり、コンデンサユニット２３の真下において）、正極側導電体ＰＩとコンデンサユニット２３の正極端子５０ｐとを電気的に接続し、負極側導電体ＮＩとコンデンサユニット２３の負極端子５０ｎとを電気的に接続することができる。すなわち、図１〜図５に示す例では、コンデンサユニット２３の真下以外の場所において正極側導電体ＰＩとコンデンサユニット２３の正極端子５０ｐとの電気的な接続および負極側導電体ＮＩとコンデンサユニット２３の負極端子５０ｎとの電気的な接続が行われる場合よりも、電力変換装置１の全体の幅方向寸法（図４および図５の左右方向寸法）を小型化することができる。
【００３５】
図２（Ａ）、図４および図５に示すように、例えばラミネートフィルム等のような電気絶縁層（図５参照）を介して相互に接合された正極端子５０ｐと負極端子５０ｎとは、所定距離離間して、互いに平行な状態で配置されている。また、コンデンサユニット２３と搭載部ＭＰ（図１（Ａ）および図１（Ｂ）参照）との間では（つまり、コンデンサユニット２３の真下では）、第１電力変換回路部３１、第２電力変換回路部３２および第３電力変換回路部３３のそれぞれに接続された正極側導電体ＰＩと負極側導電体ＮＩとが、所定距離離間して、互いに平行な状態で配置されている。
その結果、図１〜図５に示す例では、コンデンサユニット２３が搭載部ＭＰに搭載されると、正極端子５０ｐと負極端子５０ｎと正極側導電体ＰＩと負極側導電体ＮＩとが、コンデンサユニット２３と搭載部ＭＰとの間で（つまり、コンデンサユニット２３の真下で）、平行平板となるように広がっている状態になる。つまり、正極端子５０ｐと正極側導電体ＰＩとの電気的接続部、および、負極端子５０ｎと負極側導電体ＮＩとの電気的接続部が、平行平板となるように広がっている。
そのため、図１〜図５に示す例では、正極端子５０ｐと負極端子５０ｎと正極側導電体ＰＩと負極側導電体ＮＩとがコンデンサユニット２３と搭載部ＭＰとの間で平行平板となるように広がっていない場合よりも、電力変換回路における浮遊インダクタンスの増加を抑制することができる。
【００３６】
上述したように、図１〜図５に示す例では、正極側導電体ＰＩ（図３および図５参照）とコンデンサユニット２３の正極端子５０ｐ（図２（Ａ）および図５参照）との接合部に、導電性の可縮部品ＳＰ１（図３および図５参照）が配置されている。負極側導電体ＮＩ（図３および図５参照）とコンデンサユニット２３の負極端子５０ｎ（図２（Ａ）および図５参照）との接合部には、導電性の可縮部品ＳＰ２（図３および図５参照）が配置されている。
そのため、図１〜図５に示す例では、正極側導電体ＰＩまたはコンデンサユニット２３の正極端子５０ｐの高さ（図５の上下方向の位置）のばらつきを可縮部品ＳＰ１によって吸収しつつ、可縮部品ＳＰ１によって正極側導電体ＰＩとコンデンサユニット２３の正極端子５０ｐとを電気的に接続することができる。また、負極側導電体ＮＩまたはコンデンサユニット２３の負極端子５０ｎの高さ（図５の上下方向の位置）のばらつきを可縮部品ＳＰ２によって吸収しつつ、可縮部品ＳＰ２によって負極側導電体ＮＩとコンデンサユニット２３の負極端子５０ｎとを電気的に接続することができる。
【００３７】
図２（Ａ）および図３に示すように、第１電力変換回路部３１、第２電力変換回路部３２および第３電力変換回路部３３のそれぞれに接続された正極側導電体ＰＩおよび負極側導電体ＮＩをコンデンサユニット２３の側（図２（Ａ）および図３の上側）から見た場合に、正極側導電体ＰＩの一部（図２（Ａ）および図３の左下側の部分）は、正極側導電体ＰＩよりも短い負極側導電体ＮＩによって覆われている。
図２（Ａ）に示すように、正極側導電体ＰＩのうちの負極側導電体ＮＩによって覆われていない部分（図２（Ａ）の右上側の部分）は、コンデンサユニット２３の正極端子５０ｐに向かい合っている。正極側導電体ＰＩの一部を覆っている負極側導電体ＮＩは、コンデンサユニット２３の負極端子５０ｎに向かい合っている。
そのため、図２（Ａ）および図３に示す例では、第１電力変換回路部３１に接続された正極側導電体ＰＩと負極側導電体ＮＩとが重なることなく図２（Ａ）および図３の左上−右下方向に並べられ、第２電力変換回路部３２に接続された正極側導電体ＰＩと負極側導電体ＮＩとが重なることなく図２（Ａ）および図３の左上−右下方向に並べられ、第３電力変換回路部３３に接続された正極側導電体ＰＩと負極側導電体ＮＩとが重なることなく図２（Ａ）および図３の左上−右下方向に並べられる場合よりも、電力変換装置１の全体の奥行き方向寸法（図２（Ａ）および図３の左上−右下方向寸法）を小型化することができる。
【００３８】
図６は図１〜図５に示す電力変換装置１に用いられるコンデンサユニット２３の内部を説明するための図である。詳細には、図６（Ａ）はコンデンサケース（上ケース）２３Ａおよびポッティング材２３Ｄを透視して見たコンデンサユニット２３の平面図である。図６（Ｂ）はコンデンサケース２３Ａおよびポッティング材２３Ｄを透視して見たコンデンサユニット２３の左側面図である。図６（Ｃ）はコンデンサケース２３Ａおよびポッティング材２３Ｄを透視して見たコンデンサユニット２３の底面図である。図６（Ｄ）は図６（Ｂ）中のＺ部の拡大図である。
図７は負極端子部２３Ｃ１Ｎおよび正極端子部２３Ｃ２Ｐの斜視図である。詳細には、図７はコンデンサユニット２３の左前側かつ上側から見た負極端子部２３Ｃ１Ｎおよび正極端子部２３Ｃ２Ｐの斜視図である。
【００３９】
図８は図６に示すコンデンサユニット２３の斜視図である。詳細には、図８（Ａ）は左前側かつ上側から見たコンデンサユニット２３の斜視図である。図８（Ｂ）は、図８（Ａ）に示すコンデンサユニット２３の左前上部が左後下部に位置するように裏返された状態におけるコンデンサユニット２３の斜視図である。
図９は図６に示すコンデンサユニット２３などの分解斜視図である。詳細には、図９は電力変換装置１の左前側かつ上側から見たコンデンサユニット２３などの分解斜視図である。
図１０は図６に示すコンデンサユニット２３などの組立手順を説明するための図である。
【００４０】
図６〜図１０に示す例では、コンデンサユニット２３が、３個のコンデンサ素子２３Ｃ１、２３Ｃ２、２３Ｃ３を備えている。コンデンサ素子２３Ｃ１とコンデンサ素子２３Ｃ２とが隣接して配置され、コンデンサ素子２３Ｃ２とコンデンサ素子２３Ｃ３とが隣接して配置されている。
【００４１】
図６、図８および図９に示すように、コンデンサ素子２３Ｃ１は、本体部２３Ｃ１Ａと、板状の正極端子部２３Ｃ１Ｐと、板状の負極端子部２３Ｃ１Ｎとを備えている。
正極端子部２３Ｃ１Ｐは、本体部２３Ｃ１Ａの一方（図６（Ａ）および図６（Ｂ）の右側、図８（Ａ）および図９の右下手前側）の端部に配置されている。
図９に示すように、正極端子部２３Ｃ１Ｐは、例えば４個の突出部２３Ｃ１Ｐ１を備えている。突出部２３Ｃ１Ｐ１は、負極端子５０ｎと接触することなく、正極端子５０ｐの接続穴５０ｐ２１と嵌合する。正極端子部２３Ｃ１Ｐは、負極端子５０ｎに電気的に接続されることなく、正極端子５０ｐに電気的に接続される。その結果、正極端子部２３Ｃ１Ｐの極性は、正極端子５０ｐの極性と同一になる。
図６および図９に示すように、負極端子部２３Ｃ１Ｎは、本体部２３Ｃ１Ａの他方（図６（Ａ）および図６（Ｂ）の左側、図８（Ａ）および図９の左上奥側）の端部に配置されている。また、負極端子部２３Ｃ１Ｎは、正極端子部２３Ｃ１Ｐと平行に配置されている。
図７および図９に示すように、負極端子部２３Ｃ１Ｎは、例えば４個の突出部２３Ｃ１Ｎ１を備えている。図９に示すように、突出部２３Ｃ１Ｎ１は、負極端子５０ｎの接続穴５０ｎ２１と嵌合し、正極端子５０ｐとは接触しない。負極端子部２３Ｃ１Ｎは、正極端子５０ｐに電気的に接続されることなく、負極端子５０ｎに電気的に接続される。その結果、負極端子部２３Ｃ１Ｎの極性は、負極端子５０ｎの極性と同一になる。
【００４２】
図６、図８および図９に示すように、コンデンサ素子２３Ｃ２は、本体部２３Ｃ２Ａと、板状の正極端子部２３Ｃ２Ｐと、板状の負極端子部２３Ｃ２Ｎとを備えている。
図６に示すように、正極端子部２３Ｃ２Ｐは、本体部２３Ｃ２Ａの一方（図６（Ａ）および図６（Ｂ）の右側）の端部に配置されている。
図７に示すように、正極端子部２３Ｃ２Ｐは、例えば４個の突出部２３Ｃ２Ｐ１を備えている。突出部２３Ｃ２Ｐ１は、負極端子５０ｎと接触することなく、正極端子５０ｐの接続穴５０ｐ２２（図９および図１０（Ａ）参照）と嵌合する。正極端子部２３Ｃ２Ｐは、負極端子５０ｎに電気的に接続されることなく、正極端子５０ｐに電気的に接続される。その結果、正極端子部２３Ｃ２Ｐの極性は、正極端子５０ｐの極性と同一になる。
図６および図９に示すように、負極端子部２３Ｃ２Ｎは、本体部２３Ｃ２Ａの他方（図６（Ａ）および図６（Ｂ）の左側、図９の左上奥側）の端部に配置されている。また、負極端子部２３Ｃ２Ｎは、正極端子部２３Ｃ２Ｐと平行に配置されている。
図９に示すように、負極端子部２３Ｃ２Ｎは、例えば４個の突出部２３Ｃ２Ｎ１を備えている。突出部２３Ｃ２Ｎ１は、負極端子５０ｎの接続穴５０ｎ２２と嵌合し、正極端子５０ｐとは接触しない。負極端子部２３Ｃ２Ｎは、正極端子５０ｐに電気的に接続されることなく、負極端子５０ｎに電気的に接続される。その結果、負極端子部２３Ｃ２Ｎの極性は、負極端子５０ｎの極性と同一になる。
【００４３】
図６、図８および図９に示すように、コンデンサ素子２３Ｃ３は、本体部２３Ｃ３Ａと、板状の正極端子部２３Ｃ３Ｐと、板状の負極端子部２３Ｃ３Ｎとを備えている。
図６に示すように、正極端子部２３Ｃ３Ｐは、本体部２３Ｃ３Ａの一方（図６（Ａ）および図６（Ｂ）の右側）の端部に配置されている。
正極端子部２３Ｃ１Ｐと同様に、正極端子部２３Ｃ３Ｐは、例えば４個の突出部２３Ｃ３Ｐ１（図６（Ｃ）および図８（Ｂ）参照）を備えている。突出部２３Ｃ３Ｐ１は、負極端子５０ｎと接触することなく、正極端子５０ｐの接続穴５０ｐ２３（図９および図１０（Ａ）参照）と嵌合する。正極端子部２３Ｃ３Ｐは、負極端子５０ｎに電気的に接続されることなく、正極端子５０ｐに電気的に接続される。その結果、正極端子部２３Ｃ３Ｐの極性は、正極端子５０ｐの極性と同一になる。
図６および図９に示すように、負極端子部２３Ｃ３Ｎは、本体部２３Ｃ３Ａの他方（図６（Ａ）および図６（Ｂ）の左側、図９の左上奥側）の端部に配置されている。また、負極端子部２３Ｃ３Ｎは、正極端子部２３Ｃ３Ｐと平行に配置されている。
図９に示すように、負極端子部２３Ｃ３Ｎは、例えば４個の突出部２３Ｃ３Ｎ１を備えている。突出部２３Ｃ３Ｎ１は、負極端子５０ｎの接続穴５０ｎ２３と嵌合し、正極端子５０ｐとは接触しない。負極端子部２３Ｃ３Ｎは、正極端子５０ｐに電気的に接続されることなく、負極端子５０ｎに電気的に接続される。その結果、負極端子部２３Ｃ３Ｎの極性は、負極端子５０ｎの極性と同一になる。
【００４４】
図６（Ｂ）および図９に示すように、正極端子５０ｐは、正極端子部２３Ｃ１Ｐ、２３Ｃ２Ｐ、２３Ｃ３Ｐに直交して配置されている。負極端子５０ｎは、負極端子部２３Ｃ１Ｎ、２３Ｃ２Ｎ、２３Ｃ３Ｎに直交して配置されている。また、負極端子５０ｎは、正極端子５０ｐに隣接して配置されている。詳細には、正極端子５０ｐと負極端子５０ｎとの間は、電気絶縁層（図５参照）が配置されている。
【００４５】
図６（Ｄ）および図７に示すように、コンデンサ素子２３Ｃ１の負極端子部２３Ｃ１Ｎと、コンデンサ素子２３Ｃ２の正極端子部２３Ｃ２Ｐとは、隣接して配置され、向かい合っている。
図６（Ｃ）および図７に示すように、コンデンサ素子２３Ｃ１の負極端子部２３Ｃ１Ｎの突出部２３Ｃ１Ｎ１の位置と、コンデンサ素子２３Ｃ２の正極端子部２３Ｃ２Ｐの突出部２３Ｃ２Ｐ１の位置とが、電力変換装置１の幅方向（負極端子部２３Ｃ１Ｎおよび正極端子部２３Ｃ２Ｐが延びている方向）（図６（Ｃ）の上下方向、図７の左下−右上方向）にずらされている。
そのため、第１実施形態のコンデンサユニット２３では、負極端子部２３Ｃ１Ｎの突出部２３Ｃ１Ｎ１の位置と正極端子部２３Ｃ２Ｐの突出部２３Ｃ２Ｐ１の位置とが電力変換装置１の幅方向（図６（Ｃ）の上下方向、図７の左下−右上方向）にずらされておらず、負極端子部２３Ｃ１Ｎと正極端子部２３Ｃ２Ｐとの絶縁距離を確保するために負極端子部２３Ｃ１Ｎと正極端子部２３Ｃ２Ｐとが離間して配置されている場合よりも、電力変換装置１の全体の奥行き方向寸法（図６（Ａ）、図６（Ｂ）および図６（Ｃ）の左右方向寸法）を小型化することができる。
つまり、第１実施形態のコンデンサユニット２３では、負極端子部２３Ｃ１Ｎと正極端子部２３Ｃ２Ｐとを図６（Ｄ）の左右方向に隣接させて配置しつつ、負極端子部２３Ｃ１Ｎの突出部２３Ｃ１Ｎ１と、正極端子部２３Ｃ２Ｐの突出部２３Ｃ２Ｐ１との間の絶縁距離を図６（Ｃ）の上下方向に確保することができる。
【００４６】
図６（Ａ）および図６（Ｂ）に示すように、コンデンサ素子２３Ｃ２の負極端子部２３Ｃ２Ｎと、コンデンサ素子２３Ｃ３の正極端子部２３Ｃ３Ｐとは、隣接して配置され、向かい合っている。
図６（Ｃ）に示すように、コンデンサ素子２３Ｃ２の負極端子部２３Ｃ２Ｎの突出部２３Ｃ２Ｎ１の位置と、コンデンサ素子２３Ｃ３の正極端子部２３Ｃ３Ｐの突出部２３Ｃ３Ｐ１の位置とが、電力変換装置１の幅方向（負極端子部２３Ｃ２Ｎおよび正極端子部２３Ｃ３Ｐが延びている方向）（図６（Ｃ）の上下方向）にずらされている。
そのため、第１実施形態のコンデンサユニット２３では、負極端子部２３Ｃ２Ｎの突出部２３Ｃ２Ｎ１の位置と正極端子部２３Ｃ３Ｐの突出部２３Ｃ３Ｐ１の位置とが電力変換装置１の幅方向（図６（Ｃ）の上下方向）にずらされておらず、負極端子部２３Ｃ２Ｎと正極端子部２３Ｃ３Ｐとの絶縁距離を確保するために負極端子部２３Ｃ２Ｎと正極端子部２３Ｃ３Ｐとが離間して配置されている場合よりも、電力変換装置１の全体の奥行き方向寸法（図６（Ａ）、図６（Ｂ）および図６（Ｃ）の左右方向寸法）を小型化することができる。
つまり、第１実施形態のコンデンサユニット２３では、負極端子部２３Ｃ２Ｎと正極端子部２３Ｃ３Ｐとを図６（Ｂ）の左右方向に隣接させて配置しつつ、負極端子部２３Ｃ２Ｎの突出部２３Ｃ２Ｎ１と、正極端子部２３Ｃ３Ｐの突出部２３Ｃ３Ｐ１との間の絶縁距離を図６（Ｃ）の上下方向に確保することができる。
【００４７】
図１０（Ａ）および図１０（Ｂ）に示すように、正極端子５０ｐと負極端子５０ｎとによって構成されたコンデンサケース（下ケース）２３Ｂが、例えば溶接などの公知の手法によって、コンデンサケース（上ケース）２３Ａに接合され、コンデンサユニット２３の組立が完了する。
次いで、図１０（Ｃ）および図１０（Ｄ）に示すように、コンデンサユニット２３が搭載部ＭＰ（図１参照）に組み付けられることによって、パワーモジュール２１とコンデンサユニット２３とが電気的に接続され、電力変換装置１の組立が完了する。
詳細には、第２電力変換回路部３２に接続された正極側導電体ＰＩおよび負極側導電体ＮＩが、図１０（Ｂ）の中央の接続部５０ｐ１および接続部５０ｎ１に電気的に接続される。第１電力変換回路部３１に接続された正極側導電体ＰＩおよび負極側導電体ＮＩは、図１０（Ｂ）の最も右側の接続部５０ｐ１および接続部５０ｎ１に電気的に接続される。第３電力変換回路部３３に接続された正極側導電体ＰＩおよび負極側導電体ＮＩは、図１０（Ｂ）の最も左側の接続部５０ｐ１および接続部５０ｎ１に電気的に接続される。
【００４８】
＜第２実施形態＞
以下、本発明の電力変換装置および電力変換装置用コンデンサの第２実施形態について説明する。
第２実施形態の電力変換装置１およびコンデンサユニット２３は、後述する点を除き、上述した第１実施形態の電力変換装置１およびコンデンサユニット２３と同様に構成されている。従って、第２実施形態の電力変換装置１およびコンデンサユニット２３によれば、後述する点を除き、上述した第１実施形態の電力変換装置１およびコンデンサユニット２３と同様の効果を奏することができる。
【００４９】
第１実施形態の電力変換装置１では、図３に示すように、パワーモジュール２１が、第１電力変換回路部３１と、第２電力変換回路部３２と、第３電力変換回路部３３とを備えている。つまり、パワーモジュール２１が、複数の上アーム素子ＵＨ、ＶＨ、ＷＨ、Ｓ１（図１１参照）と、複数の下アーム素子ＵＬ、ＶＬ、ＷＬ、Ｓ２（図１１参照）とを有する。
一方、第２実施形態の電力変換装置１では、パワーモジュール２１が、１個の上アーム素子ＵＨと、１個の下アーム素子ＵＬとを有する。つまり、パワーモジュール２１とコンデンサユニット２３とが、１個の正極側導電体ＰＩおよび１個の負極側導電体ＮＩによって電気的に接続される。
【００５０】
第１実施形態の電力変換装置１では、図６に示すように、コンデンサユニット２３が、３個のコンデンサ素子２３Ｃ１、２３Ｃ２、２３Ｃ３を備えている。
一方、第２実施形態の電力変換装置１では、コンデンサユニット２３が、１個のコンデンサ素子２３Ｃ１を備えている。
【００５１】
パワーモジュール２１が１個の上アーム素子ＵＨと１個の下アーム素子ＵＬとを有し、コンデンサユニット２３が１個のコンデンサ素子２３Ｃ１を備えている第２実施形態の電力変換装置１によっても、第１実施形態の電力変換装置１と同様の効果を奏することができる。
【００５２】
＜第３実施形態＞
以下、本発明の電力変換装置および電力変換装置用コンデンサの第２実施形態について説明する。
第３実施形態の電力変換装置１およびコンデンサユニット２３は、後述する点を除き、上述した第１実施形態の電力変換装置１およびコンデンサユニット２３と同様に構成されている。従って、第３実施形態の電力変換装置１およびコンデンサユニット２３によれば、後述する点を除き、上述した第１実施形態の電力変換装置１およびコンデンサユニット２３と同様の効果を奏することができる。
【００５３】
第１実施形態の電力変換装置１では、図６に示すように、コンデンサユニット２３が、３個のコンデンサ素子２３Ｃ１、２３Ｃ２、２３Ｃ３を備えている。
一方、第３実施形態の電力変換装置１では、コンデンサユニット２３が、２個のコンデンサ素子２３Ｃ１、２３Ｃ２を備えている。
【００５４】
コンデンサユニット２３が２個のコンデンサ素子２３Ｃ１、２３Ｃ２を備えている第３実施形態のコンデンサユニット２３によっても、第１実施形態のコンデンサユニット２３と同様の効果を奏することができる。
【００５５】
＜適用例＞
以下、本発明の電力変換装置および電力変換装置用コンデンサの適用例について添付図面を参照しながら説明する。
図１１は第１から第３実施形態の電力変換装置１を適用可能な車両１０の一部の一例を示す図である。
【００５６】
第１または第３実施形態の電力変換装置１が図１１に示す例に適用される場合には、１個の第１または第３実施形態の電力変換装置１が図１１に示す車両１０に用いられる。
詳細には、第１または第３実施形態の電力変換装置１のパワーモジュール２１の第１電力変換回路部３１、第２電力変換回路部３２および第３電力変換回路部３３（図３参照）が、図１１に示す第１電力変換回路部３１、第２電力変換回路部３２および第３電力変換回路部３３を構成する。
第１または第３実施形態の電力変換装置１の正極端子５０ｐと負極端子５０ｎとを有するコンデンサユニット２３が、図１１に示すコンデンサユニット２３の正極端子（正極バスバー）５０ｐと負極端子（負極バスバー）５０ｎとそれらの間に配置された第２平滑コンデンサ４２とを構成する。
【００５７】
第２実施形態の電力変換装置１が図１１に示す例に適用される場合には、７個の第２実施形態の電力変換装置１が図１１に示す車両１０に用いられる。
詳細には、１つ目の第２実施形態の電力変換装置１のパワーモジュール２１が、図１１に示す第１電力変換回路部３１のＵ相を構成する。２つ目の第２実施形態の電力変換装置１のパワーモジュール２１が、図１１に示す第１電力変換回路部３１のＶ相を構成する。３つ目の第２実施形態の電力変換装置１のパワーモジュール２１が、図１１に示す第１電力変換回路部３１のＷ相を構成する。
４つ目の第２実施形態の電力変換装置１のパワーモジュール２１が、図１１に示す第２電力変換回路部３２のＵ相を構成する。５つ目の第２実施形態の電力変換装置１のパワーモジュール２１が、図１１に示す第２電力変換回路部３２のＶ相を構成する。６つ目の第２実施形態の電力変換装置１のパワーモジュール２１が、図１１に示す第２電力変換回路部３２のＷ相を構成する。
７つ目の第２実施形態の電力変換装置１のパワーモジュール２１は、図１１に示す第３電力変換回路部３３を構成する。
７個の第２実施形態の電力変換装置１の正極端子５０ｐと負極端子５０ｎとを有するコンデンサユニット２３は、並列に接続され、図１１に示すコンデンサユニット２３の正極端子（正極バスバー）５０ｐと負極端子（負極バスバー）５０ｎとそれらの間に配置された第２平滑コンデンサ４２とを構成する。
【００５８】
図１１に示す例では、車両１０が、電力変換装置１に加えて、バッテリ１１（ＢＡＴＴ）と、走行駆動用の第１モータ１２（ＭＯＴ）、発電用の第２モータ１３（ＧＥＮ）とを備えている。
バッテリ１１は、バッテリケースと、バッテリケース内に収容される複数のバッテリモジュールとを備えている。バッテリモジュールは、直列に接続される複数のバッテリセルを備えている。バッテリ１１は、電力変換装置１の直流コネクタ１ａに接続される正極端子ＰＢ及び負極端子ＮＢを備えている。正極端子ＰＢ及び負極端子ＮＢは、バッテリケース内において直列に接続される複数のバッテリモジュールの正極端及び負極端に接続されている。
【００５９】
第１モータ１２は、バッテリ１１から供給される電力によって回転駆動力（力行動作）を発生させる。第２モータ１３は、回転軸に入力される回転駆動力によって発電電力を発生させる。ここで、第２モータ１３には、内燃機関の回転動力が伝達可能に構成されている。例えば、第１モータ１２及び第２モータ１３の各々は、３相交流のブラシレスＤＣモータである。３相は、Ｕ相、Ｖ相、及びＷ相である。第１モータ１２及び第２モータ１３の各々は、インナーロータ型である。第１モータ１２及び第２モータ１３は、界磁用の永久磁石を有する回転子と、回転子を回転させる回転磁界を発生させるための３相のステータ巻線を有する固定子とをそれぞれ備えている。第１モータ１２の３相のステータ巻線は、電力変換装置１の第１の３相コネクタ１ｂに接続されている。第２モータ１３の３相のステータ巻線は、電力変換装置１の第２の３相コネクタ１ｃに接続されている。
【００６０】
図１１に示す電力変換装置１は、パワーモジュール２１と、リアクトル２２と、コンデンサユニット２３と、抵抗器２４と、第１電流センサ２５と、第２電流センサ２６と、第３電流センサ２７と、電子制御ユニット２８（ＭＯＴ  ＧＥＮ  ＥＣＵ）と、ゲートドライブユニット２９（Ｇ／Ｄ  ＶＣＵ  ＥＣＵ）とを備えている。
パワーモジュール２１は、第１電力変換回路部３１と、第２電力変換回路部３２と、第３電力変換回路部３３とを備えている。
【００６１】
第１電力変換回路部３１の出力側導電体（出力バスバー）５１は、Ｕ相、Ｖ相およびＷ相の３相分まとめられて、第１の３相コネクタ１ｂに接続されている。すなわち、第１電力変換回路部３１の出力側導電体５１は、第１の３相コネクタ１ｂを介して第１モータ１２の３相のステータ巻線に接続されている。
第１電力変換回路部３１の正極側導電体（Ｐバスバー）ＰＩは、Ｕ相、Ｖ相およびＷ相の３相分まとめられて、バッテリ１１の正極端子ＰＢに接続されている。
第１電力変換回路部３１の負極側導電体（Ｎバスバー）ＮＩは、Ｕ相、Ｖ相およびＷ相の３相分まとめられて、バッテリ１１の負極端子ＮＢに接続されている。
つまり、第１電力変換回路部３１は、バッテリ１１から第３電力変換回路部３３を介して入力される直流電力を３相交流電力に変換する。
【００６２】
第２電力変換回路部３２の出力側導電体（出力バスバー）５２は、Ｕ相、Ｖ相およびＷ相の３相分まとめられて、第２の３相コネクタ１ｃに接続されている。すなわち、第２電力変換回路部３２の出力側導電体５２は、第２の３相コネクタ１ｃを介して第２モータ１３の３相のステータ巻線に接続されている。
第２電力変換回路部３２の正極側導電体（Ｐバスバー）ＰＩは、Ｕ相、Ｖ相およびＷ相の３相分まとめられて、バッテリ１１の正極端子ＰＢと、第１電力変換回路部３１の正極側導電体ＰＩとに接続されている。
第２電力変換回路部３２の負極側導電体（Ｎバスバー）ＮＩは、Ｕ相、Ｖ相およびＷ相の３相分まとめられて、バッテリ１１の負極端子ＮＢと、第２電力変換回路部３２の負極側導電体ＮＩとに接続されている。
第２電力変換回路部３２は、第２モータ１３から入力される３相交流電力を直流電力に変換する。第２電力変換回路部３２によって変換された直流電力は、バッテリ１１及び第１電力変換回路部３１の少なくとも一方に供給可能である。
【００６３】
図１１に示す例では、第１電力変換回路部３１のＵ相上アーム素子ＵＨ、Ｖ相上アーム素子ＶＨ、Ｗ相上アーム素子ＷＨ、および、第２電力変換回路部３２のＵ相上アーム素子ＵＨ、Ｖ相上アーム素子ＶＨ、Ｗ相上アーム素子ＷＨが、正極側導電体ＰＩに接続されている。正極側導電体ＰＩは、コンデンサユニット２３の正極端子（正極バスバー）５０ｐに接続されている。
第１電力変換回路部３１のＵ相下アーム素子ＵＬ、Ｖ相下アーム素子ＶＬ、Ｗ相下アーム素子ＷＬ、および、第２電力変換回路部３２のＵ相下アーム素子ＵＬ、Ｖ相下アーム素子ＶＬ、Ｗ相下アーム素子ＷＬが、負極側導電体ＮＩに接続されている。負極側導電体ＮＩは、コンデンサユニット２３の負極端子（負極バスバー）５０ｎに接続されている。
【００６４】
図１１に示す例では、第１電力変換回路部３１のＵ相上アーム素子ＵＨとＵ相下アーム素子ＵＬとの接続点ＴＩと、Ｖ相上アーム素子ＶＨとＶ相下アーム素子ＶＬとの接続点ＴＩと、Ｗ相上アーム素子ＷＨとＷ相下アーム素子ＷＬとの接続点ＴＩとが、出力側導電体５１に接続されている。
第２電力変換回路部３２のＵ相上アーム素子ＵＨとＵ相下アーム素子ＵＬとの接続点ＴＩと、Ｖ相上アーム素子ＶＨとＶ相下アーム素子ＶＬとの接続点ＴＩと、Ｗ相上アーム素子ＷＨとＷ相下アーム素子ＷＬとの接続点ＴＩとは、出力側導電体５２に接続されている。
【００６５】
図１１に示す例では、第１電力変換回路部３１の出力側導電体５１が、第１入出力端子Ｑ１に接続されている。第１入出力端子Ｑ１は、第１の３相コネクタ１ｂに接続されている。第１電力変換回路部３１の各相の接続点ＴＩは、出力側導電体５１、第１入出力端子Ｑ１、及び第１の３相コネクタ１ｂを介して第１モータ１２の各相のステータ巻線に接続されている。
第２電力変換回路部３２の出力側導電体５２は、第２入出力端子Ｑ２に接続されている。第２入出力端子Ｑ２は、第２の３相コネクタ１ｃに接続されている。第２電力変換回路部３２の各相の接続点ＴＩは、出力側導電体５２、第２入出力端子Ｑ２、及び第２の３相コネクタ１ｃを介して第２モータ１３の各相のステータ巻線に接続されている。
【００６６】
図１１に示す例では、第１電力変換回路部３１の上アーム素子ＵＨ、ＶＨ、ＷＨおよび下アーム素子ＵＬ、ＶＬ、ＷＬのそれぞれが、フライホイールダイオードを備えている。
同様に、第２電力変換回路部３２の上アーム素子ＵＨ、ＶＨ、ＷＨおよび下アーム素子ＵＬ、ＶＬ、ＷＬのそれぞれが、フライホイールダイオードを備えている。
【００６７】
図１１に示す例では、ゲートドライブユニット２９が、第１電力変換回路部３１の上アーム素子ＵＨ、ＶＨ、ＷＨおよび下アーム素子ＵＬ、ＶＬ、ＷＬのそれぞれにゲート信号を入力する。
同様に、ゲートドライブユニット２９は、第２電力変換回路部３２の上アーム素子ＵＨ、ＶＨ、ＷＨおよび下アーム素子ＵＬ、ＶＬ、ＷＬのそれぞれにゲート信号を入力する。
第１電力変換回路部３１は、バッテリ１１から第３電力変換回路部３３を介して入力される直流電力を３相交流電力に変換し、第１モータ１２の３相のステータ巻線に交流のＵ相電流、Ｖ相電流、及びＷ相電流を供給する。第２電力変換回路部３２は、第２モータ１３の回転に同期がとられた第２電力変換回路部３２の上アーム素子ＵＨ、ＶＨ、ＷＨおよび下アーム素子ＵＬ、ＶＬ、ＷＬのそれぞれのオン（導通）／オフ（遮断）駆動によって、第２モータ１３の３相のステータ巻線から出力される３相交流電力を直流電力に変換する。
【００６８】
第３電力変換回路部３３は、電圧コントロールユニット（ＶＣＵ）である。第３電力変換回路部３３は、１相分の上アーム素子Ｓ１と下アーム素子Ｓ２とを備えている。
【００６９】
上アーム素子Ｓ１の正極側の電極は、正極バスバーＰＶに接続されている。正極バスバーＰＶは、コンデンサユニット２３の正極端子（正極バスバー）５０ｐに接続されている。下アーム素子Ｓ２の負極側の電極は、負極バスバーＮＶに接続されている。負極バスバーＮＶは、コンデンサユニット２３の負極端子（負極バスバー）５０ｎに接続されている。コンデンサユニット２３の負極端子５０ｎは、バッテリ１１の負極端子ＮＢに接続されている。上アーム素子Ｓ１の負極側の電極は、下アーム素子Ｓ２の正極側の電極に接続されている。上アーム素子Ｓ１と、下アーム素子Ｓ２とは、フライホイールダイオードを備えている。
【００７０】
第３電力変換回路部３３の上アーム素子Ｓ１と下アーム素子Ｓ２との接続点を構成するバスバー５３は、リアクトル２２の一端に接続されている。リアクトル２２の他端は、バッテリ１１の正極端子ＰＢに接続されている。リアクトル２２は、コイルと、コイルの温度を検出する温度センサとを備えている。温度センサは、信号線によって電子制御ユニット２８に接続されている。
【００７１】
第３電力変換回路部３３は、ゲートドライブユニット２９から上アーム素子Ｓ１のゲート電極と下アーム素子Ｓ２のゲート電極とに入力されるゲート信号に基づき、上アーム素子Ｓ１と下アーム素子Ｓ２とのオン（導通）／オフ（遮断）を切り替える。
【００７２】
第３電力変換回路部３３は、昇圧時において、下アーム素子Ｓ２がオン（導通）及び上アーム素子Ｓ１がオフ（遮断）に設定される第１状態と、下アーム素子Ｓ２がオフ（遮断）及び上アーム素子Ｓ１がオン（導通）に設定される第２状態とを交互に切り替える。第１状態では、順次、バッテリ１１の正極端子ＰＢ、リアクトル２２、下アーム素子Ｓ２、バッテリ１１の負極端子ＮＢへと電流が流れ、リアクトル２２が直流励磁されて磁気エネルギーが蓄積される。第２状態では、リアクトル２２に流れる電流が遮断されることに起因する磁束の変化を妨げるようにしてリアクトル２２の両端間に起電圧（誘導電圧）が発生する。リアクトル２２に蓄積された磁気エネルギーによる誘導電圧はバッテリ電圧に重畳されて、バッテリ１１の端子間電圧よりも高い昇圧電圧が第３電力変換回路部３３の正極バスバーＰＶと負極バスバーＮＶとの間に印加される。
【００７３】
第３電力変換回路部３３は、回生時において、第２状態と、第１状態とを交互に切り替える。第２状態では、順次、第３電力変換回路部３３の正極バスバーＰＶ、上アーム素子Ｓ１、リアクトル２２、バッテリ１１の正極端子ＰＢへと電流が流れ、リアクトル２２が直流励磁されて磁気エネルギーが蓄積される。第１状態では、リアクトル２２に流れる電流が遮断されることに起因する磁束の変化を妨げるようにしてリアクトル２２の両端間に起電圧（誘導電圧）が発生する。リアクトル２２に蓄積された磁気エネルギーによる誘導電圧は降圧されて、第３電力変換回路部３３の正極バスバーＰＶ及び負極バスバーＮＶ間の電圧よりも低い降圧電圧がバッテリ１１の正極端子ＰＢと負極端子ＮＢとの間に印加される。
【００７４】
コンデンサユニット２３は、第１平滑コンデンサ４１と、第２平滑コンデンサ４２と、ノイズフィルタ４３とを備えている。
【００７５】
第１平滑コンデンサ４１は、バッテリ１１の正極端子ＰＢと負極端子ＮＢとの間に接続されている。第１平滑コンデンサ４１は、第３電力変換回路部３３の回生時における上アーム素子Ｓ１及び下アーム素子Ｓ２のオン／オフの切換動作に伴って発生する電圧変動を平滑化する。
第２平滑コンデンサ４２は、第１電力変換回路部３１及び第２電力変換回路部３２の各々の正極側導電体ＰＩ及び負極側導電体ＮＩ間、並びに第３電力変換回路部３３の正極バスバーＰＶ及び負極バスバーＮＶ間に接続されている。第２平滑コンデンサ４２は、正極端子（正極バスバー）５０ｐ及び負極端子（負極バスバー）５０ｎを介して、複数の正極側導電体ＰＩ及び負極側導電体ＮＩ、並びに正極バスバーＰＶ及び負極バスバーＮＶに接続されている。第２平滑コンデンサ４２は、第１電力変換回路部３１及び第２電力変換回路部３２の上アーム素子ＵＨ、ＶＨ、ＷＨおよび下アーム素子ＵＬ、ＶＬ、ＷＬのそれぞれのオン／オフの切換動作に伴って発生する電圧変動を平滑化する。第２平滑コンデンサ４２は、第３電力変換回路部３３の昇圧時における上アーム素子Ｓ１及び下アーム素子Ｓ２のオン／オフの切換動作に伴って発生する電圧変動を平滑化する。
【００７６】
ノイズフィルタ４３は、第１電力変換回路部３１及び第２電力変換回路部３２の各々の正極側導電体ＰＩ及び負極側導電体ＮＩ間、並びに第３電力変換回路部３３の正極バスバーＰＶ及び負極バスバーＮＶ間に接続されている。ノイズフィルタ４３は、直列に接続される２つのコンデンサを備えている。２つのコンデンサの接続点は、車両１０のボディグラウンド等に接続されている。
抵抗器２４は、第１電力変換回路部３１及び第２電力変換回路部３２の各々の正極側導電体ＰＩ及び負極側導電体ＮＩ間、並びに第３電力変換回路部３３の正極バスバーＰＶ及び負極バスバーＮＶ間に接続されている。
【００７７】
第１電流センサ２５は、第１電力変換回路部３１の各相の接続点ＴＩを成し、第１入出力端子Ｑ１と接続される出力側導電体５１に配置され、Ｕ相、Ｖ相、及びＷ相の各々の電流を検出する。第２電流センサ２６は、第２電力変換回路部３２の各相の接続点ＴＩを成すとともに第２入出力端子Ｑ２と接続される出力側導電体５２に配置され、Ｕ相、Ｖ相、及びＷ相の各々の電流を検出する。第３電流センサ２７は、上アーム素子Ｓ１及び下アーム素子Ｓ２の接続点を成すとともにリアクトル２２と接続されるバスバー５３に配置され、リアクトル２２に流れる電流を検出する。
第１電流センサ２５、第２電流センサ２６、及び第３電流センサ２７の各々は、信号線によって電子制御ユニット２８に接続されている。
【００７８】
電子制御ユニット２８は、第１モータ１２及び第２モータ１３の各々の動作を制御する。例えば、電子制御ユニット２８は、ＣＰＵ（Central Processing Unit）等のプロセッサによって所定のプログラムが実行されることにより機能するソフトウェア機能部である。ソフトウェア機能部は、ＣＰＵ等のプロセッサ、プログラムを格納するＲＯＭ（Read Only Memory）、データを一時的に記憶するＲＡＭ（Random Access Memory）、及びタイマー等の電子回路を備えるＥＣＵ（Electronic Control Unit）である。なお、電子制御ユニット２８の少なくとも一部は、ＬＳＩ（Large Scale Integration）等の集積回路であってもよい。例えば、電子制御ユニット２８は、第１電流センサ２５の電流検出値と第１モータ１２に対するトルク指令値に応じた電流目標値とを用いる電流のフィードバック制御等を実行し、ゲートドライブユニット２９に入力する制御信号を生成する。例えば、電子制御ユニット２８は、第２電流センサ２６の電流検出値と第２モータ１３に対する回生指令値に応じた電流目標値とを用いる電流のフィードバック制御等を実行し、ゲートドライブユニット２９に入力する制御信号を生成する。制御信号は、第１電力変換回路部３１及び第２電力変換回路部３２の上アーム素子ＵＨ、ＶＨ、ＷＨおよび下アーム素子ＵＬ、ＶＬ、ＷＬのそれぞれをオン（導通）／オフ（遮断）駆動するタイミングを示す信号である。例えば、制御信号は、パルス幅変調された信号等である。
【００７９】
ゲートドライブユニット２９は、電子制御ユニット２８から受け取る制御信号に基づいて、第１電力変換回路部３１及び第２電力変換回路部３２の上アーム素子ＵＨ、ＶＨ、ＷＨおよび下アーム素子ＵＬ、ＶＬ、ＷＬのそれぞれを実際にオン（導通）／オフ（遮断）駆動するためのゲート信号を生成する。例えば、ゲートドライブユニット２９は、制御信号の増幅及びレベルシフト等を実行して、ゲート信号を生成する。
ゲートドライブユニット２９は、第３電力変換回路部３３の上アーム素子Ｓ１及び下アーム素子Ｓ２の各々をオン（導通）／オフ（遮断）駆動するためのゲート信号を生成する。例えば、ゲートドライブユニット２９は、第３電力変換回路部３３の昇圧時における昇圧電圧指令又は第３電力変換回路部３３の回生時における降圧電圧指令に応じたデューティー比のゲート信号を生成する。デューティー比は、上アーム素子Ｓ１及び下アーム素子Ｓ２の比率である。
【００８０】
図１１に示す例では、第１から第３実施形態の電力変換装置１が車両１０に適用されるが、他の例では、例えばエレベータ、ポンプ、ファン、鉄道車両、空気調和機、冷蔵庫、洗濯機などのような車両１０以外のものに対して第１から第３実施形態の電力変換装置１を適用してもよい。
【００８１】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１…電力変換装置、ＵＨ…上アーム素子、ＵＬ…下アーム素子、２１…パワーモジュール、２３…コンデンサユニット、２３Ａ…コンデンサケース、２３Ｂ…コンデンサケース、５０ｐ…正極端子、５０ｐ１…接続部、５０ｐ２１…接続穴、５０ｐ２２…接続穴、５０ｐ２３…接続穴、５０ｎ…負極端子、５０ｎ１…接続部、５０ｎ２１…接続穴、５０ｎ２２…接続穴、５０ｎ２３…接続穴、２３Ｃ１、２３Ｃ２、２３Ｃ３…コンデンサ素子、２３Ｃ１Ａ、２３Ｃ２Ａ、２３Ｃ３Ａ…本体部、２３Ｃ１Ｐ、２３Ｃ２Ｐ、２３Ｃ３Ｐ…正極端子部、２３Ｃ１Ｐ１、２３Ｃ２Ｐ１、２３Ｃ３Ｐ１、…突出部、２３Ｃ１Ｎ、２３Ｃ２Ｎ、２３Ｃ３Ｎ…負極端子部、２３Ｃ１Ｎ１、２３Ｃ２Ｎ１、２３Ｃ３Ｎ１…突出部、２３Ｄ…ポッティング材、２３Ｅ…フランジ部、ＭＰ…搭載部、ＭＰ１…搭載位置、ＭＰ２…搭載位置、ＳＰ１…可縮部品、ＳＰ２…可縮部品、ＰＩ…正極側導電体、ＮＩ…負極側導電体、ＷＪ…放熱部、ＣＳ…モジュールケース、ＢＴ…ボルト、ＧＳ…ゲート信号線、ＳＡ…基板、１０…車両
【図１】
2019180114.tif 000003
【図２】
2019180114.tif 000004
【図３】
2019180114.tif 000005
【図４】
2019180114.tif 000006
【図５】
2019180114.tif 000007
【図６】
2019180114.tif 000008
【図７】
2019180114.tif 000009
【図８】
2019180114.tif 000010
【図９】
2019180114.tif 000011
【図１０】
2019180114.tif 000012
【図１１】
2019180114.tif 000013